(57)【特許請求の範囲】
【請求項１】
含水率計が備えられた含水率計内蔵建物であって、
建物躯体の外壁面側を構成する構造用面材の表面側に外装材が設けられ、
前記構造用面材の裏面に、ＲＦＩＤ機能を有する含水率計が取り付けられており、
前記建物躯体には窓用の開口部が形成され、
この開口部の下端部において、前記構造用面材の裏面に前記ＲＦＩＤ機能を有する含水率計が取り付けられていることを特徴とする含水率計内蔵建物。
【請求項２】
請求項１に記載の含水率計内蔵建物において、
前記建物躯体の外壁が構造用の壁パネルによって構成されており、
この壁パネルが矩形状の枠体とこの枠体の両面に取り付けられた面材とを有し、
前記構造用面材が、前記壁パネルの前記建物躯体の外壁面側に位置する一方の前記面材によって構成され、この面材の裏面に前記ＲＦＩＤ機能を有する含水率計が取り付けられていることを特徴とする含水率計内蔵建物。
【請求項３】
請求項２に記載の含水率計内蔵建物において、
前記ＲＦＩＤ機能を有する含水率計は、工場等において予め前記壁パネルの面材の裏面に取り付けられていることを特徴とする含水率計内蔵建物。
【請求項４】
請求項１〜３のいずれか一項に記載の含水率計内蔵建物において、
前記ＲＦＩＤ機能を有する含水率計は、前記構造用面材の裏面に取り付けられる平坦な取付面を有するケースと、このケース内に設けられたＲＦＩＤ機能付き含水率測定部と、このＲＦＩＤ機能付き含水率測定部に電気的に接続され、前記取付面から突出する一対の計測用ピンとを備え、
前記計測用ピンが前記構造用面材に刺し込まれたうえで、前記取付面が前記構造用面材に当接していることを特徴とする含水率計内蔵建物。
【発明の詳細な説明】
【技術分野】
【０００１】
本発明は、含水率計を内蔵した建物に関する。
【背景技術】
【０００２】
住宅等の建物における壁内面、天井裏、屋根裏、床下等の必要箇所にセンサ機能付きＲＦＩＤタグを設置した建物の一例として、特許文献１に記載の技術が知られている。
この建物は、前記センサ機能付きＲＦＩＤタグにひび割れ検知センサ、雨漏り検知センサ、歪み検知センサ、結露検知センサ、火災検知センサ、振動検知センサの何れかを１つ以上接続し、外部のリーダーよりデータ読取りコマンドを前記センサ機能付きＲＦＩＤタグに送信し、測定データの重畳した反射波を受信して測定データを読取るようにしたものである。
【先行技術文献】
【特許文献】
【０００３】
【特許文献１】特開２００７−３１０５０６号公報
【発明の概要】
【発明が解決しようとする課題】
【０００４】
ところで、上記特許文献１には、ＲＦＩＤタグに含水率計を接続すること、つまり、ＲＦＩＤ機能を有する含水率計によって、建物躯体の含水率を測定することについては開示されていない。
そこで、ＲＦＩＤ機能を有する含水率計によって、建物躯体の外壁を構成する構造面材の含水率を測定する場合、当該構造用面材の表面にＲＦＩＤ機能を有する含水率計を取り付けることが考えられるが、その場合、このＲＦＩＤ機能を有する含水率計が、構造用面材の表面に外装材を取り付ける取付作業等の建築作業時に損傷し易いという問題ある。
【０００５】
本発明は上記事情に鑑みてなされたもので、構造用面材の表面に外装材を取り付ける取付作業等の建築作業時において、ＲＦＩＤ機能を有する含水率計の損傷を防止できる含水率計内蔵建物を提供することを課題としている。
【課題を解決するための手段】
【０００６】
上記課題を解決するために、請求項１に記載の発明は、例えば図１〜図５に示すように、含水率計が備えられた含水率計内蔵建物であって、
建物躯体１の外壁面側を構成する構造用面材８の表面側に外装材２が設けられ、
前記構造用面材８の裏面に、ＲＦＩＤ機能を有する含水率計３が取り付けられており、
前記建物躯体１には窓用の開口部６,７が形成され、
この開口部６,７の下端部において、前記構造用面材８の裏面に前記ＲＦＩＤ機能を有する含水率計３が取り付けられていることを特徴とする。
【０００７】
請求項１に記載の発明によれば、建物躯体１の外壁面側を構成する構造用面材８の裏面に、ＲＦＩＤ機能を有する含水率計３が取り付けられているので、構造用面材８の表面に外装材２を取り付ける取付作業等の建築作業時においては、ＲＦＩＤ機能を有する含水率計３が外側に露出することなく、構造用面材８によって保護されているので、当該含水率計３の損傷を防止できる。
また、リフォーム時等における外装材２の改装等の際においても、ＲＦＩＤ機能を有する含水率計３が構造用面材８によって保護されるので、当該含水率計３の損傷を防止できる。
【０００９】
さらに、建物躯体１の開口部６,７付近では、当該開口部６,７に取り付けられるサッシ回りを流れた雨水によって、建物躯体１の他の部分より雨水の影響を受けることになるが、開口部６,７の下端部において、構造用面材８の裏面にＲＦＩＤ機能を有する含水率計３が取り付けられているので、構造用面材８の含水率を効果的に測定できる。
【００１０】
請求項２に記載の発明は、請求項１に記載の含水率計内蔵建物において、
前記建物躯体１の外壁が構造用の壁パネル４によって構成されており、
この壁パネル４が矩形状の枠体４ｃと、この枠体４ｃの両面に取り付けられた面材４ｅ,４ｅとを有し、
前記構造用面材８が、前記壁パネル４の前記建物躯体１の外壁面側に位置する一方の前記面材４ｅによって構成され、この面材４ｅの裏面に前記ＲＦＩＤ機能を有する含水率計３が取り付けられていることを特徴とする。
【００１１】
請求項２に記載の発明によれば、構造用面材８が、壁パネル４の建物躯体１の外壁面側に位置する一方の面材４ｅによって構成され、この面材４ｅの裏面にＲＦＩＤ機能を有する含水率計３が取り付けられているので、当該含水率計３が壁パネル４の内部に位置して外部から完全に保護される。したがって、構造用面材８の表面に外装材２を取り付ける取付作業以外等の建築作業時においても、当該含水率計３の損傷を防止できる。
【００１２】
請求項３に記載の発明は、請求項２に記載の含水率計内蔵建物において、
前記ＲＦＩＤ機能を有する含水率計３は、工場等において予め前記壁パネル４の面材４ｅの裏面に取り付けられていることを特徴とする。
【００１３】
請求項３に記載の発明によれば、ＲＦＩＤ機能を有する含水率計３が、工場等において予め壁パネル４の面材４ｅの裏面に取り付けられているので、現場では、壁パネル４の面材４ｅの裏面への含水率計の取付作業を省略できる。
【００１４】
請求項４に記載の発明は、請求項１〜３のいずれか一項に記載の含水率計内蔵建物において、
前記ＲＦＩＤ機能を有する含水率計３は、前記構造用面材８の裏面に取り付けられる平坦な取付面１３を有するケース１０と、このケース１０内に設けられたＲＦＩＤ機能付き含水率測定部１１と、このＲＦＩＤ機能付き含水率測定部１１に電気的に接続され、前記取付面１３から突出する一対の計測用ピン１２,１２とを備え、
前記計測用ピン１２,１２が前記構造用面材８に刺し込まれたうえで、前記取付面１３が前記構造用面材８に当接していることを特徴とする。
【００１５】
請求項４に記載の発明によれば、計測用ピン１２,１２が構造用面材８に刺し込まれているので、この計測用ピン１２,１２によって構造用面材８の含水率を確実に測定できるとともにケース１０を構造用面材８に固定でき、さらに、ケース１０の取付面１３が構造用面材８に当接しているので、ケース１０を安定して構造用面材８に取り付けることができる。
【発明の効果】
【００１６】
本発明によれば、建物躯体の表面側に外装材が設けられ、この外装材の内側に位置する建物躯体の構造用面材の裏面に、ＲＦＩＤ機能を有する含水率計が取り付けられているので、構造用面材の表面に外装材を取り付ける取付作業等の建築作業時においては、ＲＦＩＤ機能を有する含水率計が外側に露出することなく、当該構造用面材によって保護されているので、当該含水率計の損傷を防止できる。
また、外装材の改装等の際においても、ＲＦＩＤ機能を有する含水率計が構造用面材によって保護されるので、当該含水率計の損傷を防止できる。
さらに、建物躯体の他の部分より雨水の影響を受ける開口部の下端部において、含水率計が取り付けられているので、構造用面材の含水率を効果的に測定できる。
【図面の簡単な説明】
【００１７】
【図１】本発明に係る含水率計内蔵建物の一例を示すもので、当該含水率計内蔵建物の建物躯体を示す正面図である。
【図２】同、含水率計が取り付けられた壁パネルを示す斜視図である。
【図３】同、含水率計が取り付けられた壁パネルと外装材を示す側断面図である。
【図４】同、ＲＦＩＤ機能付き含水率測定部を備えた含水率計のケースを示す平面図である。
【図５】同、含水率計の断面図である。
【発明を実施するための形態】
【００１８】
以下、図面を参照して本発明に係る含水率計内蔵建物の実施の形態について説明する。
図１は、本実施の形態に係る含水率計内蔵建物の建物躯体１の正面図である。
含水率計内蔵建物は、建物躯体１の表面側に外装材を設けるとともに、建物躯体１にＲＦＩＤ機能を有する含水率計３（以下、含水率計３と略称する。）を備えた構成となっている。なお、建物躯体１の表面には、外装材が当該表面との間に所定に隙間をもって取り付けられているが、図１においては、外装材を省略している。
【００１９】
前記建物躯体１は、周知のパネル工法によって構築されている。パネル工法とは、壁や床、屋根といった建物躯体の構成要素を予め工場にてパネル化しておき、施工現場でこれらの構造用のパネルを組み立てて構築するものである。
建物躯体１の外壁は構造用の壁パネル４によって構成されている。この壁パネル４は、図２に示すように、縦横の框材４ａ,４ｂを矩形枠状に組み立てて枠体４ｃを構成し、この枠体４ｃ内に、必要に応じて補強桟材４ｄを縦横に組み付け、さらに、枠体４ｃの両面に合板等からなる構造用の面材４ｅ,４ｅを取り付けてなるものである。
【００２０】
図１に示すように、建物躯体１の１階の正面においては、複数（３枚）の壁パネル４が門形に接合されて基礎５に設置されており、これら壁パネル４・・・の内側に掃き出し窓用の開口部６が形成されている。また、建物躯体１の２階の正面においては、複数（４枚）の壁パネル４がロ字形に接合されて２階の床に設置されており、これら壁パネル４・・・の内側に窓用の開口部７が形成されている。
【００２１】
前記含水率計３は、建物躯体１の外壁面側を構成する構造用面材８の裏面に取り付けられている。すなわち、図２および図３に示すように、本実施の形態では、構造用面材８は、壁パネル４の面材４ｅ,４ｅのうち、建物躯体１の外壁面側に位置する、つまり外装材２側に位置する一方の面材４ｅによって構成されている。なお、外装材２は、壁パネル４の一方の面材４ｅに胴縁２ａを介して取り付けられおり、これによって外装材２と壁パネル４との間には所定の隙間が設けられている。
【００２２】
そして、図１に示すように、建物躯体１の１階に形成された前記開口部６の下端部の近傍において、開口部６の左右両側に位置する壁パネル４,４の、建物躯体１の外壁面側に位置する一方の面材４ｅ,４ｅの裏面に含水率計３,３が取り付けられている。また、含水率計３,３は当該面材４ｅ,４ｅの裏面下端部において、開口部６側に寄せて配置されている。すなわち、含水率計３は縦の構造材（壁パネル４の縦框材４ａ）と横の構造材（壁パネル４の下の横框材４ｂ）の近傍に位置している。
また、建物躯体１の２階に形成された前記開口部７の下端部の近傍において、開口部７の下側に位置する壁パネル４の、建物躯体１の外壁面側に位置する一方の面材４ｅの裏面に含水率計３,３が取り付けられている。また、含水率計３,３は当該面材４ｅの裏面上端部の左右両端部に配置されている。
さらに、含水率計３は、工場等において予め壁パネル４の面材４ｅの裏面に取り付けられている。
なお、本実施の形態では、含水率計３は、開口部６,７の下端部において、壁パネル４の面材４ｅの裏面に取り付けられているが、他の壁パネル４の面材４ｅの裏面に取り付けてもよい。
また、含水率計３は、壁パネル４の框材４ａ,４ｂに接触させているが、必ずしも接触させる必要はない。
【００２３】
前記含水率計３は、図４および図５に示すように、ケース１０と、このケース１０内に設けられたＲＦＩＤ機能付き含水率測定部１１と、このＲＦＩＤ機能付き含水率測定部１１に電気的に接続された一対の計測用ピン１２,１２を有している。
ケース１０は、矩形箱状に形成されたケース本体１０ａと、このケース本体１０ａの上面開口を塞ぐ蓋１０ｂとによって構成されている。そして、ケース本体１０ａの下面が平坦な取付面１３となっている。
【００２４】
前記ケース本体１０ａの内部にはその底面に、絶縁台板１４が固定されており、この絶縁台板１４の上面に通信用のアンテナ１５が設置されている。このアンテナ１５は平面視において環状に形成されており、ＲＦＩＤ機能付き含水率測定部１１に接続コード１５ａ,１５ａによって接続されている。
ＲＦＩＤ機能付き含水率測定部１１は、基板上にＲＦＩＤ用ＩＣチップと、このＩＣチップに接続された含水率測定回路とを設けた構成となっており、後述するハンディリーダ２５からの電波をエネルギー源として動作し、電池を内蔵していないタイプとなっている。
【００２５】
前記絶縁台板１４とケース本体１０ａの底壁とには、左右一対のねじ孔１６,１６が形成されており、当該ねじ孔１６,１６に計測用軸部材１７,１７がねじ込まれている。計測用軸部材１７は、外周部に前記ねじ孔１６と螺合する雄ねじが形成された軸部１８と、この軸部１８の先端部に設けられた前記計測用ピン１２とを備えている。
【００２６】
軸部１８の上端部はケース本体１０ａの底面に設置された絶縁台板１４から上方に突出しており、この突出ている部分にスプリングワッシャー２０が絶縁台板１４に当接するようにして外挿され、さらにスプリングワッシャー２０の上からナット２１が螺合して締め付けられている。また、軸部１８の上端にはナット２１の上から円板状の樹脂製のプレート２２が嵌め込まれている。
前記スプリングワッシャー２０は、軸部１８を介して計測用ピン１２と電気的に接続されており、このスプリングワッシャー２０がラグ端子２３によって前記ＲＦＩＤ機能付き含水率測定部１１の含水率測定回路に接続されている。これによって、計測用ピン１２はＲＦＩＤ機能付き含水率測定部１１に電気的に接続されている。
【００２７】
前記計測用ピン１２は金属製のものであり、前記ケース１０の下面である取付面１３から突出し、先端部は尖った形状に形成されている。一対の計測用ピン１２,１２は、例えば１０ｍｍ程度離間しており、前記面材４ｅ（構造用面材８）に刺し込まれている。この状態において、ケース１０の取付面１３は面材４ｅ（構造用面材８）の表面にほぼ隙間なく当接している。
一対の計測用ピン１２,１２には電圧が印加されるようになっており、計測用ピン１２,１２間の電気抵抗を、ＲＦＩＤ機能付き含水率測定部１１の含水率測定回路によって測定することによって、面材４ｅ（構造用面材８）の内部の含水率を測定するようになっている。
なお、前記ケース本体１０ａ内の底面には、防水コーティング剤ＳがＲＦＩＤ機能付き含水率測定部１１を覆うようにして流し込まれており、これによって、ＲＦＩＤ機能付き含水率測定部１１の防水処理が行われている。
【００２８】
前記ＲＦＩＤ機能付き含水率測定部１１によって測定された面材４ｅ（構造用面材８）の内部の含水率は、図３に示すように、ハンディリーダー２５によって読み取られる。
ハンディリーダー２５は、前記ＲＦＩＤ機能付き含水率測定部１１と電磁誘導又は電磁波による無線通信を行うためのアンテナを接続したＲＦ通信回路、読取った含水率の測定データを表示するモニタ２５ａ、前記測定データの蓄積およびプログラムデータを蓄積するメモリ等を備えている。
そして、住宅メーカーやメンテナンス会社および建物の所有者により保守点検を行う場合、予め設置位置が判っているＲＦＩＤ機能を有する含水率計３にハンディリーダー２５を接近させることにより含水率の測定データを読取ることができる。
【００２９】
本実施の形態によれば、外装材２の内側に位置する建物躯体１の構造用面材８の裏面に、ＲＦＩＤ機能を有する含水率計３が取り付けられているので、構造用面材８の表面に外装材２を取り付ける取付作業等の建築作業時においては、ＲＦＩＤ機能を有する含水率計３が外側に露出することなく、構造用面材８によって保護されているので、当該含水率計３の損傷を防止できる。
また、外装材２の改装等の際においても、ＲＦＩＤ機能を有する含水率計３が構造用面材８によって保護されるので、当該含水率計３の損傷を防止できる。
【００３０】
また、建物躯体１の開口部６,７付近では、当該開口部６,７に取り付けられるサッシ回りを流れた雨水によって、建物躯体１の他の部分より雨水の影響を受けることになるが、開口部６,７の下端部において、構造用面材８の裏面にＲＦＩＤ機能を有する含水率計３が取り付けられているので、構造用面材８の含水率を効果的に測定できる。
さらに、外装材２の内側に位置する構造用面材８が、壁パネル４の一方の面材４ｅによって構成され、この面材４ｅの裏面にＲＦＩＤ機能を有する含水率計３が取り付けられているので、当該含水率計３が壁パネル４の内部に位置して外部から完全に保護される。したがって、構造用面材８（面材４ｅ）の表面に外装材２を取り付ける取付作業以外等の建築作業時においても、当該含水率計３の損傷を防止できる。
加えて、ＲＦＩＤ機能を有する含水率計３が、工場等において予め壁パネル４の一方の面材４ｅの裏面に取り付けられているので、現場では、壁パネル４の面材４ｅの裏面への含水率計３の取付作業を省略できる。
【００３１】
また、ＲＦＩＤ機能を有する含水率計３が、構造用面材８の裏面に取り付けられる平坦な取付面１３を有するケース１０と、このケース１０内に設けられたＲＦＩＤ機能付き含水率測定部１１と、このＲＦＩＤ機能付き含水率測定部１１に電気的に接続され、取付面１３から突出する一対の計測用ピン１２,１２とを備え、この計測用ピン１２,１２が構造用面材８に刺し込まれたうえで、取付面１３が構造用面材８に当接しているので、計測用ピン１２,１２によって構造用面材８の含水率を確実に測定できるとともにケース１０を構造用面材８に固定でき、さらに、ケース１０の取付面１３が構造用面材８に当接しているので、ケース１０を安定して取り付けることができる。
【００３２】
なお、本実施の形態では、ＲＦＩＤ機能を有する含水率計３として、一対の計測用ピン１２,１２を備え、構造用面材８の内部の含水率を測定するものを例にとって説明したが、例えば、構造用面材８の裏面の含水率を測定したい場合、一対の計測用ピン１２,１２に代えて、構造用面材８の裏面に密着可能な一対の薄型の導電性ゴムを使用すればよい。この場合、ケース１０の取付面１３に、一対の薄型の導電性ゴムを取り付け、この導電性ゴムとＲＦＩＤ機能付き含水率測定部１１を電気的に接続すればよい。また、ケース１０の構造用面材８への固定は、例えば両面接着テープ等によって行えばよい。
また、本実施の形態では、枠体４ｃの両面に面材４ｅ,４ｅを有する壁パネル４を使用したパネル工法を例にとって説明したが、本発明はこれに限らず、壁パネルの面材が外側片面のみであるパネル工法、その他ツーバイフォー工法や在来の軸組工法等などで建物躯体の外壁面が構造用面材によって構成されるものであれば適用できる。
【符号の説明】
【００３３】
１  建物躯体
２  外装材
３  ＲＦＩＤ機能を有する含水率計
４  構造用の壁パネル
４ｃ  枠体
４ｅ  面材
６,７  開口部
８  構造用面材
１０  ケース
１１  ＲＦＩＤ機能付き含水率測定部
１２  計測用ピン
１３  取付面
【図１】
0005746012.tif 000002
【図２】
0005746012.tif 000003
【図３】
0005746012.tif 000004
【図４】
0005746012.tif 000005
【図５】
0005746012.tif 000006